(57)【要約】【課題】多数枚数の紙類でも縦方向及び横方向に安定して束ね、かつ紙類を容易に装脱着することを可能とするクリップを提供する。【解決手段】互いに重ならない中央面部とその左右側に位置する左側面部と右側面部に渡って曲げられて延在する1本の線条体からなり、クリップの中央面部の縦の高さを１とすると、クリップの横の幅は１より大きくかつその上限は紙類を有効に束ねることを可能とする幅とされ、紙類にクリップを装着した時、紙類は左側面部の丸められた下方部と中央面部の左下方部の間と右側面部の丸められた下方部と中央面部の左下方部の間とを通され、紙類はクリップの左右の連結端部にて端部を係止され、かつ紙類の一方の面を中央面部で押え他方の面を左右の側面部で押えられる、クリップ。【選択図】図１
2012218307.tif 000002
【特許請求の範囲】
【請求項１】
一本の線条体を曲げて形成され紙類を束ねるためのクリップであって、
線条体は、中央面部とその左右側に位置する左側面部と右側面部とからなり、
左側面部と中央面部、中央面部と右側面部は互いに重なり合わずかつほぼ同一面上に位置し、左側面部と中央面部の連結端部と中央面部と右側面部の連結端部はほぼ同一高さとされ、かつ左側面部の他方端部と右側面部の他方端部はほぼ同一高さとされ、
中央面部において、線条体は左連結端部から右連結端部まで凸状に重なることなく曲げられ、
左側面部において、線条体は連結端部から左下方に延び下方部で反時計方向に重なることなく丸められ、丸められた下方部と中央面部の左下方部との間の距離を狭め、
右側面部において、線条体は開放端部から右下方に延び下方部で時計方向に重なることなく丸められ、丸められた下方部と中央面部の左下方部との間の距離を狭められており、
クリップの中央面部の縦の高さを１とすると、クリップの横の幅は１より大きくかつその上限は紙類を有効に束ねることを可能とする幅とされ、
紙類にクリップを装着した時、紙類は左側面部の丸められた下方部と中央面部の左下方部の間と右側面部の丸められた下方部と中央面部の左下方部の間とを通され、紙類はクリップの左右の連結端部にて端部を係止され、かつ紙類の一方の面を中央面部で押え他方の面を左右の側面部で押えられる、クリップ。
【請求項２】
クリップを上面から見た場合に、中央面部の表面、裏面の延長面に対して左側面部及び右側面部はそれぞれ所定の角度の方向に延びている、請求項１に記載のクリップ。
【請求項３】
クリップの右側面からみて、手前から後方に向かって右側面部、中央面部、左側面部はクリップを左右に２等分する仮想対象面に対してそれぞれほぼ垂直方向に延び、中央面部に対して右側面部は左右のいずれか一方の方向に所定の角度で傾斜して延び、左側面部は左右の他の方向に所定の角度で傾斜して延びている、請求項１に記載のクリップ。
【請求項４】
中央面部の縦の中央線に対して左右対称になっている、請求項１乃至請求項３のいずれか１項に記載のクリップ。
【請求項５】
中央面部は連結端部側が開放されたほぼ台形形状になっている、請求項１乃至請求項４のいずれか１項に記載のクリップ。
【請求項６】
台形形状の幅が、連結端部から離れるに従って狭くなっている、請求項１乃至請求項５のいずれか１項に記載のクリップ。
【請求項７】
左側面部の丸められた他端部領域と中央面部の左他端部領域との間の距離と右側面部の丸められた他端部領域と中央面部の右他端部との間の距離を、それらの間で紙類を挟み保持できるよう設定した、請求項１乃至請求項６のいずれか１項に記載のクリップ。
【請求項８】
中央面部と左右両側面部の下端部がほぼ同一高さとなっている、請求項１乃至請求項７のいずれか１項に記載のクリップ。
【請求項９】
左右両側面部の下端部が中央面部の下端部の下方に位置している、請求項１乃至請求項８のいずれか１項に記載のクリップ。
【発明の詳細な説明】
【技術分野】
【０００１】
本発明は、一本の線条体を折り曲げて形成され紙類を束ねるためのクリップに関するものである。
【背景技術】
【０００２】
従来から、１本の針金から形成する紙類を束ねるクリップとして、図１０に示すように、針金を楕円状かつ渦巻き状にして形成したいわゆるクリップ１００が汎用されている。
【０００３】
クリップ１００にて、紙類を綴じるときには、外周部と内周部との間に紙類を挿入することにより、外周部と内周部との弾性力にて紙類を挟持して紙類を束ねるようになっている。しかしながら、上記従来のクリップ１００では、クリップを紙類に装着すると縦方向には安定的に保持するが、多数枚の紙類を束ねると、外周部と内周部との保持領域の幅が小さいため横方向に紙類を安定して保持できない。さらに、クリップが捩じれたりするので、直ぐに外れてしまうという問題点を有している。
【０００４】
また、多数枚の紙類を束ねるクリップとして、図１１に示す幅広の紙類クリップ２００が知られている。このクリップは幅広に形成されているため、図１０のクリップに比較して、紙類を幅方向により安定して保持することが可能であるが、内周部に沿って外周部が配置されているのでそれらの重複部分で紙類を保持するに過ぎず、内周部と外周部とで形成される保持面積は限られている。また、内周部と外周部の間に隙間を作り、その中に紙類を挿入するので、クリップを紙類に装着するのに比較的強い力が必要となる。
【先行技術文献】
【特許文献】
【０００５】
【特許文献１】特開平８−３２４１７０
【発明の概要】
【発明が解決しようとする課題】
【０００６】
本発明は、従来のクリップの有する欠点を解消し、多数枚数の紙類でも縦方向及び横方向に安定して束ね、かつ紙類を容易に装脱着することを可能とするクリップを提供することを目的とするものである。
【課題を解決するための手段】
【０００７】
（１）本発明のクリップは、従来のクリップが有する欠点を解決するために創作されたものであり、一本の線条体を曲げて形成され紙類を束ねるためのクリップであって、
線条体は、中央面部とその左右側に位置する左側面部と右側面部とからなり、
左側面部と中央面部、中央面部と右側面部は互いに重なり合わず順次横方向に配置され、左側面部と中央面部の連結端部と中央面部と右側面部の連結端部はほぼ同一高さとされ、
中央面部において、線条体は左連結端部から右連結端部まで重なることなく凹状に曲げられ、
左側面部において、線条体は左側面部と中央面部の連結端部から左斜め外方向に延び、他端部近傍で反時計方向に重なることなく丸められ、丸められた他端部領域と中央面部の左他端部領域との間の距離を狭め、
右側面部において、線条体は中央面部と右側面部の連結端部から右斜め外方向に延び、他端部近傍で時計方向に重なることなく丸められ、丸められた他端部領域と中央面部の右他端部領域との間の距離を狭め、
クリップの中央面部の縦の高さを１とすると、クリップの幅は１より大きく、かつ該クリップの幅の上限はクリップが紙類を有効に保持することを可能とする幅とされ、
紙類にクリップを装着した時、紙類は左側面部の丸められた他端部領域と中央面部の左他端部領域の間と、右側面部の丸められた他端部領域と中央面部の右他端部領域の間とを通され、紙類はクリップの左右の連結端部にて端部が係止され、かつ紙類の一方の面が中央面部で押えられ、紙類の他方の面が左側面部と右側面部で押えられることを特徴とする。
【０００８】
以下に、本発明のクリップの好ましい実施態様を述べる。これらの実施態様を任意に組み合わせたものも、特に矛盾がない限り本発明のクリップの好ましい態様である。
（２）クリップを上面から見た場合に、中央面部の表面、裏面の延長面に対して左側面部及び右側面部はそれぞれ所定の角度の方向に延びている。
（３）クリップの右側面からみて、右側面部、中央面部、左側面部はクリップを左右に２分する仮想対象面に対してそれぞれほぼ垂直方向に延び、中央面部に対して右側面部は左右のいずれか一方の方向に所定の角度で傾斜して延び、左側面部は左右の他の方向に所定の角度で傾斜して延びている。
（４）クリップは、中央面部の縦の中央線に対して左右対称になっている。
（５）中央面部は連結端部側が開放されたほぼ台形形状になっている。
（６）台形形状の幅が、連結端部から離れるに従って狭くなっている。
（７）左側面部の丸められた他端部領域と中央面部の左他端部領域との間の距離と右側面部の丸められた他端部領域と中央面部の右他端部との間の距離を、それらの間で紙類を挟み保持できるよう設定する。
（８）中央面部と左右両側面部の下端部がほぼ同一高さとなっている。
（９）左右両側面部の下端部が中央面部の下端部の下方に位置している。
【発明の効果】
【０００９】
本発明に係るクリップは、左側面部、中央面部及び右側面部が重なることなく併置されているので、クリップの縦方向の長さに対して横方向の長さが長くされている。従って、紙類にクリップを装着した場合、クリップの左右の連結端部にて紙類の端部を係止し、かつ紙類の一方の面を平面の中央面部で押え、他方の面を中央面部の両側に位置する平面の左側面部と平面の右側面部で押えるので、紙類を縦方向のみならず幅方向に安定して保持することができる。
さらに、紙類のコーナー部に本発明のクリップを装着する場合には、クリップの左右の連結端部にて紙類のコーナー部の両端部を係止し、かつ紙類の一方の面を中央面部で押え、他方の面を中央面部の両側に位置する左側面部と平面の右側面部で押えるので、紙類のコーナー部を安定して保持することができ、角部をホッチキスでとめる必要性がなくなる。
クリップの中央面部の縦の高さを１とすると、クリップの幅は１より大きく、かつ該クリップの幅の上限はクリップが紙類を有効に保持することを可能とする幅とする。好ましくは、該クリップの幅は、例えば１．５以上、あるいは２．５以上とすることができる。
【００１０】
また、クリップを上面から見た場合に、中央面部の裏表面の延長面に対して左側面部及び右側面部をそれぞれ所定の角度で延在させる場合には、クリップを紙類に容易に装脱着することができ、かつ紙類の両面に対して左側面部及び右側面部の押付け力と中央面部の押付け力がより強力に働くので、装着後は紙類をクリップにより強く安定して保持することができる。
また、中央面部の縦の中央線に対して左右対称とする場合には、クリップで紙類の角部を斜めに安定して保持・固定することができる。さらに、紙類が厚くなっても、クリップ全体が一方向斜めに変形することがないので、紙類を安定して保持することができる。
また、中央面部を連結端部側が開放されたほぼ台形形状とすると、クリップの左右の連結端部にて紙類の端部を係止し、かつ台形形状の線条体で紙を一方の面から押え、左右側面部との間で挟み込むので、紙類を安定して押え挟み保持することが可能となる。
【図面の簡単な説明】
【００１１】
【図１】本発明の第1の実施態様であるクリップを示す平面図である。
【図２】本発明の第1の実施態様であるクリップの上面図である。
【図３】本発明の第２の実施態様であるクリップの右側面図である。
【図４】本発明の第1の実施態様であるクリップを紙類の一端部に装着した状態を示す斜視図である。
【図５】本発明の第1の実施態様であるクリップを紙類のコーナー部に装着した状態を示す斜視図である。
【図６】本発明の第３の実施態様であるクリップを示す平面図である。
【図７】本発明の第４の実施態様であるクリップを示す平面図である。
【図８】本発明の第５の実施態様であるクリップを示す平面図である。
【図９】本発明の第６の実施態様であるクリップを示す平面図である。
【図１０】従来のクリップを示す斜視図である。
【図１１】従来の別のクリップを示す斜視図である。
【発明を実施するための形態】
【００１２】
以下に、本発明に係るクリップについて図面を参照して詳細に説明する。
まず、図面に基づいて本発明のクリップを説明するのに先立ち、いくつかの用語について簡単に説明をする。
（１）紙類
紙類には、紙、プラスチック等の薄いシート状の用紙等を言い、例えばＢ５やＡ４の紙がある。
（２）曲げて形成等
本発明で用いる用語「曲げ」とは、一部に直線部を有する場合も含み、かつ一方向のみならず２方向に曲げるものも含む。また、「曲げ」には、直線状の線条体を所定の角度で折り曲げる場合も含む。また、「丸められ」も一部に直線部を有する場合も含み、直線状の線条体を所定の角度で折り曲げて丸める場合も含む。
（３）線条体
線条体には、針金、ピアノ線等の線条体があり、表面を粗仕上げしたものや着色したものも含む。例えば、針金等の材質は鉄、アルミ、ステンレス、銅などからなり、太さは破断強度にもよるが、０．３〜１．５ｍｍ程度である。
（４）クリップの寸法
クリップの寸法は、束ねる紙類の枚数に応じて設定することができる。例えば、１〜８枚の紙類用の小型クリップ、８〜１６枚の紙類用の中型クリップ、１６〜２５枚の紙類用の大型クリップ等を作製できる。
【００１３】
図１に本発明に係るクリップの第１の実施態様を示す。
本発明のクリップは、一本の線条体Ｘを曲げて形成され、中央面部Ａとその左右側に位置する左側面部Ｂと右側面部Ｃとからなり、中央面部Ａと左側面部Ｂ、中央面部Ａと右側面部Ｃは互いに重なり合わずかつほぼ同一面上に位置し、左側面部と中央面部の連結端部ｂ１と中央面部と右側面部の連結端部ｃ１はほぼ同一高さとされ、左側面部Ｂの他端部ｂ２と右側面部Ｃの他端部ｃ２はほぼ同一高さとされ、かつ中央面部Ａの下端部ａ２の下方に延びている。また、中央面部Ａにおいて、線条体は左連結端部ｂ１から右連結端部ｃ１まで凹状に曲げられて、底辺に向かう程幅が狭く上辺が無くなだらかにカーブしたほぼ台形形状になっている。本発明の本実施態様のクリップは、中央面部Ａの中央縦の線に対して左右対称になっている。
【００１４】
左側面部Ｂにおいて、線条体Ｘは左側面部と中央面部の連結端部ｂ１から左斜め外方向になだらかにカーブを作って延び、他端部ｂ２の近傍で反時計方向に重なることなく丸められ、丸められた他端部領域ｂ３と中央面部の左他端部領域ａ３との間の距離を狭めている。右側面部Ｃにおいて、線条体Ｘは中央面部Ａと右側面部Ｃの連結端部ｃ１から右斜め外方向にカーブを作って延び、他端部ｃ２の近傍で時計方向に重なることなく丸められ、丸められた他端部領域ｃ３と中央面部の右他端部領域ａ４との間の距離を狭めている。
【００１５】
クリップの中央面部の縦の高さＨを１とすると、クリップの幅Ｗは１より大きく、かつその上限はクリップが紙類を有効に束ねることを可能とする幅とされている。図１に示すように、高さＨは左右の連結端部ｂ１とｃ１とを結ぶ線分から中央面部Ａの最も遠い位置までの距離を指し、幅Ｗは左側面部Ｂと右側面部Ｃの最遠部間の距離を指す。
【００１６】
図２に示すように、本実施態様のクリップは上面から見た場合に、中央面部Ａの表面、裏面の延長面に対して、左側面部Ｂ及び右側面部Ｃはそれぞれ角度αの方向に延びている。角度αは、微小角度で、紙類を極端に曲げることなく保持できる角度とし、例えば１°等と設定することができる。左側面部Ｂの丸められた他端部領域ｂ３と中央面部Ａの左他端部領域ａ３との間の距離と右側面部Ｃの丸められた他端部領域ｃ３と中央面部Ａの右他端部ａ４との間の距離は、本クリップで紙類を挟み保持できるよう適宜設定してある。本実施態様のクリップでは、紙類の両面に対して左側面部及び右側面部の一方向の押付け力と中央面部の他方向の押付け力がより強力に働くので、装着後は紙類をクリップにより強く安定して保持することができる。
図３は別の実施態様のクリップを右側方から見た図であり、紙面手前から紙面後方に向かって右側面部Ｃ，中央面部Ａ、左側面部Ｂの順に紙面に対して垂直方向（左側面部はクリップを左右に２等分する仮想対象面に対してそれぞれほぼ垂直方向）に延びている。中央面部Ａに対して右側面部Ｃは右方向に角度βで傾斜して延び、左側面部Ｂは左方向に角度βで傾斜して延びている。本実施態様では、クリップの右側面部Ｃと中央面部Ａを紙類に装着し、中央面部Ａから左側面部Ｂへ装着する際により強くひねられた状態で装着されるので、紙類はクリップにより強く安定して保持される。
【００１７】
図４に示すように、紙類Ｙの一端部に本実施態様のクリップを装着した時、紙類Ｙは左側面部の丸められた他端部領域ｂ３と中央面部Ａの左他端部領域ａ３の間と、右側面部の丸められた他端部領域ｃ３と中央面部の右他端部領域ａ４の間とを通され、紙類Ｙはクリップの左右の連結端部ｂ１、ｃ１にて紙類Ｙの端部を係止し、かつ紙類Ｙの一方の面をクリップの中央面部Ａで押え、紙類の他方の面をクリップの左側面部Ｂと右側面部Ｃで押える。即ち、紙類Ｙは、互いに重ならない３つの隣接する面部でその両面を押えられるので、幅方向に押圧面がより広範囲に広がり、紙類Ｙはクリップによって縦方向のみならず、横方向にも安定して保持される。
【００１８】
図５は、紙類Ｙのコーナー部に本実施態様のクリップを装着した状態を示す。紙類Ｙのコーナー部は左右側面部Ｂ、Ｃの丸められた他端部領域ｂ３、ｃ３と中央面部Ａの左右他端部領域ａ３，ａ４の間を通され、紙類Ｙはクリップの左連結端部ｂ１にてコーナー部の一端部を係止し、クリップの右連結端部ｃ１にてコーナー部の他端部を係止、紙類Ｙの表面をクリップの中央面部Ａで押え、紙類の互いに直角な端部の裏面をクリップの左側面部Ｂと右側面部Ｃで押える。クリップの中央面部Ａの底部は紙類の互いに直角な端部に対して４５度の角度に延び、従来のように紙類のコーナー部を止めるホッチキス針は不要となる。この場合にも、紙類Ｙのコーナー部は、互いに重ならない３つの隣接する面部でその両面を押えられるので、幅方向に押圧面がより広範囲に広がり、紙類Ｙのコーナー部はクリップによって縦方向のみならず、横方向にも安定して保持される。
【００１９】
図６は、本発明の第２の実施態様のクリップを模式的に示す平面図である。各部の長さをｍｍ単位で示す。針金の太さは１ｍｍとしてある。本実施例は、本発明に係るクリップを実施する際の一つの具体的な例を示す。本実施態様では、クリップの中央面部高さＨを１とすると、クリップの幅Ｗは約２．８である。
【００２０】
図７は、本発明の第３の実施態様のクリップを模式的に示す平面図である。本実施態様では、左側面部の丸められた他端部領域と中央面部の左他端部領域との間の距離と右側面部の丸められた他端部領域と中央面部の右他端部との間の距離を、それらの間で紙類を挟み保持できるよう設定してある。クリップの寸法に応じて、紙類を１０枚、２０枚、３０枚、・・・を挟むことが可能なように、左側面部の丸められた他端部領域と中央面部の左他端部領域との間の距離と右側面部の丸められた他端部領域と中央面部の右他端部との間の距離を設定する。本実施態様では、中央面部の下端部と左右両側面部の下端部がほぼ同一高さとなっている。その他の点は、形状の違いはあるが、概ね第１の実施態様のクリップの説明が適用となる。本実施態様では、Ｗ／Ｈ＝約２．７である。
【００２１】
図８は、中央面部の下端部よりも左右両側面部の下端部が下に位置している。このような構成とすることによって、中央面部の押圧面に比較して、中央面部の両側に位置する左側面部及び右側面部の縦の長さが長くなり、本実施態様のクリップでは、紙類を押える縦方向の押圧力及び横方向に押える押圧力がより大きくなる。本実施態様では、Ｗ／Ｈ＝約２．５である。
【００２２】
図９は、クリップの高さＨ＝１に対して、幅Ｗを約５とした幅広のクリップを示す。このような構成とすることによって、クリップによって紙類を横方向により安定に保持することが可能となる。
【００２３】
本発明に係るクリップは、以下のようにして製造することができる。
図１を参照して、所定の線条体を右先端部から丸めて他端部領域a3を形成し、次に連結端部ｃ１までなだらかに曲げて右側面部Ｃを形成し、その後凹部形状になだらかに曲げて連結端部ｃ１から連結端部ｂ１迄延びる中央面部Ａを形成し、さらに連結端部ｂ１からなだらかに曲げ、次に左先端部の近傍で丸めて他端部領域ｂ３を形成することによって、左側面部Ｂを形成して、本発明のクリップを得る。本発明に係るクリップは、従来のクリップを形成するクリップ製造装置を用いて容易に製作をすることができる。
【産業上の利用可能性】
【００２４】
本発明は、従来のクリップの有する欠点を解消し、多数枚数の紙類でも縦方向及び横方向に安定して束ね、かつ紙類を容易に装脱着することができるクリップを提供するものであり、産業上の利用可能性が大である。
【符号の説明】
【００２５】
Ａ・・・クリップ中央面部
Ｂ・・・クリップ左側面部
Ｃ・・・クリップ右側面部
ｂ１、ｃ１・・・連結端部
ａ２、ｂ２、ｃ２・・・他端部
ｂ３、ａ３、ａ４、ｃ３・・・他端部領域
Ｈ・・・クリップの高さ
Ｗ・・・クリップの幅
Ｘ・・・線条体
Ｙ・・・紙類
【図１】
2012218307.tif 000003
【図２】
2012218307.tif 000004
【図３】
2012218307.tif 000005
【図４】
2012218307.tif 000006
【図５】
2012218307.tif 000007
【図６】
2012218307.tif 000008
【図７】
2012218307.tif 000009
【図８】
2012218307.tif 000010
【図９】
2012218307.tif 000011
【図１０】
2012218307.tif 000012
【図１１】
2012218307.tif 000013